(57)【特許請求の範囲】
【請求項１】
多孔筒及び該多孔筒内に回転可能に配設される精白ロールを有し、前記多孔筒と前記精白ロールの間に搗精室を形成してなる搗精部と、前記精白ロールを回転駆動するモータを有する駆動部とを、前記精白ロールの回転軸及び前記モータの回転軸が横向きで平行となるよう積み重ね連結可能なユニット架台に並設して精米ユニットを構成するとともに、前記搗精部を、該搗精部の一端側において前記ユニット架台に対し回動可能に連結し、前記精米ユニットを構成するユニット架台をベース架台上に載置するとともに、複数の前記精米ユニットの各ユニット架台を上下に積み重ねて連結することを特徴とする精米機。
【請求項２】
前記複数の精米ユニットには、それぞれ摩擦式搗精部、研削式搗精部又は切削式搗精部のいずれかが配設される請求項１記載の精米機。
【発明の詳細な説明】
【技術分野】
【０００１】
本発明は、組み立て作業性及び組み立て自由度に優れる精米機に関する。
【背景技術】
【０００２】
従来、搗精部を上下に複数段積み重ねて形成した連座式の横軸型精米機が知られている（特許文献１，２）。
【０００３】
特許文献１に記載された精穀装置は、内部が空洞の底枠上に、縦長に形成された箱型機枠及び縦梁を立設するとともに、該箱型機枠内に複数の摩擦式精穀機を収容し、さらに、箱型機枠及び縦梁に横架した横梁によって補強して組み付けたものである。
【０００４】
特許文献１に記載された精穀装置によれば、複数の摩擦式精穀機により原料米を高品質に仕上げることが可能となる。
【０００５】
しかしながら、特許文献１に記載された精穀装置は、箱型機枠内に複数の摩擦式精穀機を収容し、底枠、箱型機枠、縦梁及び横梁等を組み付けるものであり、組み立て作業性に問題がある。
また、特許文献１に記載された精穀装置は、摩擦式精穀機の数に対応した大きさの箱型機枠及び縦梁を事前に準備する必要があり、組み立ての自由度に欠けるものである。
【０００６】
他方、特許文献２に記載された無洗米製造装置は、三層（三段）構造とされた架台の上下方向に三台の研米ユニットを並べて配置するものである。
【０００７】
特許文献２に記載された無洗米製造装置は、架台に研米ユニットを据え付けるものであり、特許文献１に記載された精穀装置と比較して容易に組み立てることができる。
【０００８】
しかしながら、特許文献２に記載された無洗米製造装置も、研米ユニットの数に対応した大きさの架台を事前に準備しておかなければならず、組み立ての自由度に欠ける問題がある。
【先行技術文献】
【特許文献】
【０００９】
【特許文献１】特開２００８−２９９１３号公報
【特許文献２】特開２００４−２２３４６１号公報
【発明の概要】
【発明が解決しようとする課題】
【００１０】
そこで、本発明は、組み立て作業性及び組み立て自由度に優れる精米機を提供することを目的とする。
【課題を解決するための手段】
【００１１】
上記目的を達成するため、本発明の精米機は、
多孔筒及び該多孔筒内に回転可能に配設される精白ロールを有し、前記多孔筒と前記精白ロールの間に搗精室を形成してなる搗精部と、前記精白ロールを回転駆動するモータを有する駆動部と、を積み重ね連結可能なユニット架台に配設して精米ユニットを構成し、前記精米ユニットを構成するユニット架台をベース架台上に載置することを特徴とする。
【００１２】
本発明の精米機は、前記精米ユニットが、前記精白ロールの回転軸及び前記モータの回転軸が横向きで平行となるよう、前記搗精部及び前記駆動部が前記ユニット架台に並設して構成される。
【００１３】
本発明の精米機は、前記搗精部が、該搗精部の一端側において前記ユニット架台に対し回動可能に連結される。
【００１４】
本発明の精米機は、複数の前記精米ユニットの各ユニット架台を上下に積み重ねて連結する。
【００１５】
本発明の精米機は、前記複数の精米ユニットに、それぞれ摩擦式搗精部、研削式搗精部又は切削式搗精部のいずれかが配設されることが好ましい。
【００１６】
本発明の精米機の組み立てに使用する精米ユニットは、
多孔筒及び該多孔筒内に回転可能に配設される精白ロールを有し、前記多孔筒と前記精白ロールの間に搗精室を形成してなる搗精部と、前記精白ロールを回転駆動するモータを有する駆動部と、を積み重ね連結可能なユニット架台に配設して構成される。
【００１７】
本発明の精米機の組み立てに使用する精米ユニットは、前記精白ロールの回転軸及び前記モータの回転軸が横向きで平行となるよう、前記搗精部及び前記駆動部が前記ユニット架台に並設して構成される。
【００１８】
本発明の精米機の組み立てに使用する精米ユニットは、前記搗精部が、該搗精部の一端側において前記ユニット架台に対し回動可能に連結される。
【００１９】
本発明の精米機の組み立てに使用する精米ユニットは、複数の精米ユニットの各ユニット架台を上下に積み重ねて連結する。
【００２０】
本発明の精米機の組み立てに使用する精米ユニットは、前記複数の精米ユニットに、それぞれ摩擦式搗精部、研削式搗精部又は切削式搗精部のいずれかが配設されることが好ましい。
【発明の効果】
【００２１】
本発明の精米機は、搗精部及び駆動部を、積み重ね連結可能なユニット架台に配設して精米ユニットを構成し、前記精米ユニットを構成するユニット架台をベース架台上に載置することで、簡単に組み立てることができるので、組み立て作業性に優れている。
また、本発明の精米機は、前記ベース架台上に載置したユニット架台上に、さらに他の精米ユニットのユニット架台を順次積み重ねることができるため、精米ユニットの数に対応した大きさの架台を事前に準備する必要がなく、組み立て自由度に優れている。
【００２２】
本発明の精米機は、前記精米ユニットが、精白ロールの回転軸及びモータの回転軸が横向きで平行となるよう、前記搗精部及び前記駆動部が前記ユニット架台に並設して構成されるので、当該精米ユニットの重量バランスが安定するため、組み立て作業性が向上するとともに組み立て後の機体の設置安定性も向上する。
【００２３】
本発明の精米機は、前記搗精部が、該搗精部の一端側において前記ユニット架台に対し回動可能に連結されるので、前記搗精部を正面側に回動させることができるため、前記搗精部のメンテナンス性が向上する。
【００２４】
本発明の精米機は、複数の前記精米ユニットの各ユニット架台を上下に積み重ねて連結するので、連座式の精米機を簡単に組み立てることができる。
【００２５】
本発明の精米機は、前記複数の精米ユニットに、それぞれ摩擦式搗精部、研削式搗精部又は切削式搗精部のいずれかが配設されることとすれば、原料の種類（特定米、もち米、パーボイル米、籾）や粒形（短粒種、中粒種、長粒種）、加工品位レベル（低品位、一般品位、高級品位）に応じ、搗精部の形式を容易に最適な組み合わせとすることができる。
【００２６】
本発明の精米機の組み立てに使用する精米ユニットは、搗精部及び駆動部を、積み重ね連結可能なユニット架台に配設してなるので、精米機を組み立てる際の組み立て作業性に優れる。
また、本発明の精米機の組み立てに使用する精米ユニットは、前記ユニット架台上に、さらに他の精米ユニットのユニット架台を順次積み重ねることができるため、精米機を組み立てる際の組み立て自由度に優れる。
【００２７】
本発明の精米機の組み立てに使用する精米ユニットは、精白ロールの回転軸及びモータの回転軸が横向きで平行となるよう、前記搗精部及び前記駆動部が前記ユニット架台に並設して構成されるので、当該精米ユニットの重量バランスが安定するため、精米機を組み立てる際の組み立て作業性が向上するとともに組み立てた精米機の設置安定性も向上する。
【００２８】
本発明の精米機の組み立てに使用する精米ユニットは、前記搗精部が、該搗精部の一端側において前記ユニット架台に対し回動可能に連結されるので、前記搗精部を正面側に回動させることができるため、前記搗精部のメンテナンスが向上する。
【００２９】
本発明の精米機の組み立てに使用する精米ユニットは、複数の前記精米ユニットの各ユニット架台を上下に積み重ねて連結するので、連座式の精米機を簡単に組み立てることができる。
【００３０】
本発明の精米機の組み立てに使用する精米ユニットは、前記複数の精米ユニットに、それぞれ摩擦式搗精部、研削式搗精部又は切削式搗精部のいずれかが配設されることとすれば、原料の種類（特定米、もち米、パーボイル米、籾）や粒形（短粒種、中粒種、長粒種）、加工品位レベル（低品位、一般品位、高級品位）に応じ、搗精部の形式を容易に最適な組み合わせとすることができる。
【図面の簡単な説明】
【００３１】
【図１】本発明の実施の形態における参考精米機の斜視図。
【図２】図１の精米機の正面図であって搗精部の一部断面図。
【図３】図１の精米機の右側面図。
【図４】精米ユニットの説明図。
【図５】図４の精米ユニットの説明図。
【図６】図４の精米ユニットの説明図。
【図７】図６において搗精部をメンテナンスする様子の説明図。
【図８】本発明の実施の形態における精米機の斜視図。
【図９】図８の精米機の正面図であって搗精部の一部断面図。
【図１０】図９の精米機の右側面図。
【発明を実施するための形態】
【００３２】
本発明の実施の形態を図面に基づいて説明する。
図１は本発明の実施の形態における参考精米機の斜視図を示す。図２は図１の精米機の正面図であって搗精部の一部断面図を示す。図３は図１の精米機の右側面図を示す。
【００３３】
本発明の実施の形態における参考精米機１は、ベース架台２上に一台の精米ユニット３を載置して形成した単座式の横軸型精米機である。
【００３４】
前記精米ユニット３は、筒状の搗精金網４１、及び主軸４２に装着されて前記搗精金網４１内に回転可能に配設される精白ロール４３を有し、前記搗精金網４１と前記精白ロール４３の間に搗精室４４を形成してなる搗精部４と、前記精白ロール４３が装着される主軸４２を回転駆動するモータ７１を有する駆動部７と、積み重ね連結可能なユニット架台８を備える。
【００３５】
前記搗精部４において、前記搗精室４４の一端側には原料供給部が設けられ、他端側には米粒排出部が設けられる。
前記原料供給部は、原料供給口４６を有する原料供給筒４５と、前記原料供給口４６に配設される原料ホッパ４７を有する。また、前記原料供給筒４５内には、前記主軸４２に装着されて回転駆動される螺旋ロール４８が配設されている。
【００３６】
前記米粒排出部は、米粒排出口４９を有する米粒排出筒５０と、前記米粒排出口４９に対応する外側位置に配設される米粒排出樋５３を有する。また、前記米粒排出樋５３には、抵抗錘（分銅）５２により付勢されて前記米粒排出口４９を塞ぐ抵抗蓋（圧迫板）５１が設けられている。
【００３７】
前記精白ロール４３には、前記搗精室４４の位置に対応して精白用の撹拌突起５５が設けられ、前記米粒排出筒５０の位置に対応して米粒排出用の掻出突起５６が設けられている。
【００３８】
また、前記精白ロール４３は、前記主軸４２の中空部に装着されている。前記主軸４２の中空部には多数の憤風孔５７が形成されるとともに、該主軸４２の一端側に前記中空部と連通する送風ファン５８が接続されている。
【００３９】
前記主軸４２の他端側には、前記駆動部７における前記モータ７１の図示しない駆動プーリとベルトで接続される従動プーリ５９が配設されている。
【００４０】
前記搗精室４４の周囲には集糠室６０が形成されており、該集糠室６０は下方に設けられる集糠ダクト６１と連通している。また、前記搗精室４４の一端側であって前記原料供給筒４５の下方には、残留米除去用空気ノズル６３が配設されている。
【００４１】
前記精米ユニット３において、前記原料ホッパ４７に投入される原料米は、原料供給口４６から原料供給筒４５内に供給された後、前記螺旋ロール４８により前記搗精室４４に送られる。
【００４２】
前記搗精室４４内に送られた原料米は、前記精白ロール４３に設けられた精白用の撹拌突起５５の作用を受けて搗精されながら前記米粒排出筒５０側に向けて移動する。そして、搗精された後の前記原料米は、前記精白ロール４３に設けられた米粒排出用の掻出突起５６の作用を受けて前記抵抗蓋５１を押し開き、前記米粒排出口４９から前記米粒排出樋５３へ排出される。
【００４３】
その際、前記送風ファン５８の作用により、前記主軸４２の中空部に形成された多数の憤風孔５７から空気が噴出し、前記搗精室４４内で発生した糠が前記搗精金網４１の網目から集糠室６０へと排除される。
【００４４】
ここで、前記精米ユニット３において、搗精部４は摩擦式に限るものでなく、研削式や切削式等の他の形式のものを採用することもできる。
【００４５】
また、前記精米ユニット３においては、米を原料として用いることを前提としたが、米以外の穀粒を原料として用いることもできる。
【００４６】
図４は精米ユニットの説明図を示す。ここでは、駆動部７においてモータ７１を取り外した状態を示している。
【００４７】
図４に示すように、前記ユニット架台８は、左右一対の架台脚部８１，８１の内側にそれぞれユニット積み重ね連結部８２，８２を配設し、該ユニット積み重ね連結部８２，８２を上下一対の横梁８３，８４で連結したものである。
【００４８】
前記ユニット架台８には、前記横梁８３，８４を挟んだ位置に、前記精白ロール４３が装着される主軸４２と前記モータ７１の回転軸とが横向きで平行となるよう、前記搗精部４と前記駆動部７が並置され、ボルト等により固定される。
【００４９】
また、前記ユニット架台８には、前記モータ７１の駆動プーリを覆う駆動プーリカバー８８と前記主軸に配設される従動プーリ５９を覆う従動プーリカバー８９が配設されている。
【００５０】
そして、前記搗精部４が、該搗精部４の一端側に設けられる回動軸８５により、前記ユニット架台８に対し前記従動プーリカバー８９とともに回動可能に連結されている。
【００５１】
本発明の実施の形態における参考精米機は、搗精部４及び駆動部７を、積み重ね連結可能なユニット架台８に配設して精米ユニット３を構成し、前記精米ユニット３を構成するユニット架台８をベース架台２上に載置して、前記ユニット架台８と前記ベース架台２をボルト等で連結することで簡単に組み立てることができるものであり、組み立て作業性に優れている。
【００５２】
また、本発明の実施の形態における参考精米機は、前記精米ユニット３が、前記精白ロール４３が装着される主軸４２及び前記モータ７１の回転軸が横向きで平行となるよう、前記搗精部４及び前記駆動部７が前記ユニット架台８に並設して構成されるので、前記精米ユニットの重量バランスが安定し、組み立て作業性が向上するとともに組み立て後における機体の設置安定性も向上する。
【００５３】
図５，６は図４の精米ユニットの説明図であって、ユニット架台８に対し搗精部４を回動させる様子の説明図を示す。
図５，６に示すように、前記精米ユニット３は、前記搗精部４と前記ユニット架台８を連結する各固定具８６，８７のボルト等を取り外すことにより、前記搗精部４を前記回動軸８５により前記従動プーリカバー８９とともに前記ユニット架台８に対し回動させることができる。
【００５４】
図７は図６の状態において搗精部をメンテナンスする様子の説明図を示す。
図７に示すように、前記精米ユニット３は、前記回動軸８５により前記搗精部４を前記ユニット架台８に対し回動させた状態で、該搗精部４における長ボルト６３を取り外し、金網カバー６４及び金網押さえ６５を取り外すことで、前記搗精金網４１や前記精白ロール４３を交換する等のメンテナンスを行うことができる。
【００５５】
前記精米ユニット３は、前記搗精部４と前記駆動部７が前記ユニット架台８に並設して構成されるので、前記搗精部４の前記駆動部７と対向する側のメンテナンスには困難が伴うが、前記ユニット架台８に対し前記搗精部４を正面側に回動させることで、メンテナンスを容易に行うことが可能となる。
【００５６】
図８は本発明の実施の形態における精米機の斜視図を示す。図９は図８の精米機の正面図であって搗精部の一部断面図を示す。図１０は図８の精米機の右側面図を示す。
【００５７】
本発明の実施の形態における精米機は、ベース架台２上に三台の精米ユニット３ａ〜３ｃを積み重ねて形成した３連座式の横軸型精米機である。
三台の精米ユニット３ａ〜３ｃの基本的な構造は、図１〜図７において説明した精米ユニット３と同じであり、ここでの説明は省略する。
【００５８】
本発明の実施の形態における精米機は、第３精米ユニット３ｃのユニット架台８ｃをベース架台２上に載置して前記ユニット架台８ｃと前記ベース架台２を連結するとともに、第２精米ユニット３ｂのユニット架台８ｂ、前記第１精米ユニット３ａのユニット架台８ａを順次積み重ねて連結することで簡単に組み立てることができるものであり、組み立て作業性に優れている。
【００５９】
また、本発明の実施の形態における精米機は、前記ベース架台上に載置したユニット架台上に、さらに他の精米ユニットのユニット架台を順次積み重ねるものであり、精米ユニットの数に対応した架台を事前に準備する必要がなく、組み立ての自由度にも優れている。
【００６０】
さらに、本発明の実施の形態における精米機は、３連座式の横軸型精米機であり機体の高さが高くなるが、前記各精米ユニット３ａ〜３ｃの重量バランスが安定しているので、機体の設置安定性にも優れている。
【００６１】
本発明の実施の形態における精米機は、複数の精米ユニット３ａ〜３ｃの搗精部４として、摩擦式搗精部に限らず、研削式搗精部、切削式搗精部等の他の形式のいずれかを採用することもできる。
本発明の実施の形態における精米機は、前記複数の精米ユニット３ａ〜３ｃのそれぞれに、摩擦式搗精部、研削式搗精部又は切削式搗精部のいずれかが配設されることとすれば、原料の種類（特定米、もち米、パーボイル米、籾）や粒形（短粒種、中粒種、長粒種）、加工品位レベル（低品位、一般品位、高級品位）に応じ、搗精部の形式を容易に最適な組み合わせとすることができる。
【００６２】
また、本発明の実施の形態における精米機は、３連座式の横軸型精米機としたが、原料の種類や粒形、加工品位レベルに応じて、例えば４〜６連座式など任意の数の連座式精米機とすれば、前記搗精部の形式をより最適な組み合わせとすることが可能となる。
【００６３】
上記本発明の実施の形態において、精米機はいずれも横軸型としたが、竪軸型とすることもできる。竪軸型精米機とする場合、精米ユニット３は、ユニット架台８に搗精部４を立設するものとすればよい。
【００６４】
上記本発明の実施の形態においては、いずれも米を原料として用いることを前提としたが、米以外の穀粒についても原料として用いることができる。
【００６５】
本発明は、上記実施の形態に限るものでなく、発明の範囲を逸脱しない限りにおいてその構成を適宜変更できることはいうまでもない。
【産業上の利用可能性】
【００６６】
本発明の精米機は、搗精部及び駆動部を、積み重ね連結可能なユニット架台に配設して精米ユニットを構成し、前記精米ユニットを構成するユニット架台をベース架台上に載置するものであり、また、前記ベース架台上に載置したユニット架台上に、さらに他の精米ユニットのユニット架台を順次積み重ねるものであるため、組み立て作業性及び組み立て自由度に優れるものである。
【符号の説明】
【００６７】
１      精米機
２      ベース架台
３      精米ユニット
４      搗精部
４１      搗精金網
４２      主軸
４３      精白ロール
４４      搗精室
４５      原料供給筒
５０      米粒排出筒
７      駆動部
７１      モータ
８      ユニット架台
８１      架台脚部
８２      ユニット積み重ね連結部
８３      横梁
８４      横梁
８５      回動軸
【図１】
0006446878.tif 000002
【図２】
0006446878.tif 000003
【図３】
0006446878.tif 000004
【図４】
0006446878.tif 000005
【図５】
0006446878.tif 000006
【図６】
0006446878.tif 000007
【図７】
0006446878.tif 000008
【図８】
0006446878.tif 000009
【図９】
0006446878.tif 000010
【図１０】
0006446878.tif 000011